(57)【要約】      （修正有）【課題】留置針の軟性注射針（外筒）の人体内に留置する時間を延長できる軟性注射針の構造を提供する。【解決手段】留置針の構造において、注射針嵌合台１、軟性注射針（外筒）２及びパリレン層３を備え、該注射針嵌合台１は内部に納置空間を設けて一端の広孔径の硬性注射針連接口１３から他端の小口径の軟性注射針連接口１２に向けて硬性注射針を挿入して嵌合し結合し、該軟性注射針は該注射針嵌合台と相互に嵌合して結合する。該パリレン層は、該軟性注射針の表面に熱分解によるＣＶＤ工程で形成し、該パリレン層に拠って、該軟性注射針の抗菌及び抗炎症効果を大幅に高める。【選択図】図１
0003212691.tif 000002
【実用新案登録請求の範囲】
【請求項１】
留置針の軟性注射針（外筒）の構造において、
内部に納置空間を備えてその一端には小径の軟性注射針連接口を設置し、他端には大径の硬性注射針連接口を設けた注射針嵌合台と、
該注射針嵌合台と相互に嵌合結合する軟性注射針と、
真空無応力コーティング工程（熱分解によるＣＶＤ工程）で該軟性注射針の表面にパリレン層を形成したことを特徴とする軟性注射針の構造。
【請求項２】
前記軟性注射針は、細長の針部を備えると共に該針部一端に結合部を連接し、該結合部は前記注射針嵌合台の内部に嵌合され、且つ該針部他端側の少なくとも一部分は該注射針嵌合台の軟性注射針連接口の先端から延長して突出し、また該結合部は碗状、コップ状もしくは漏斗状であることを特徴とする請求項１記載の軟性注射針の構造。
【請求項３】
前記パリレン層は、パリレンＣ、パリレンＤ、パリレンＮもしくはパリレンＡＦ４であることを特徴とする請求項１記載の軟性注射針の構造。
【考案の詳細な説明】
【技術分野】
【０００１】
本考案は、注射針構造に関するもので、特に点滴装置に用いる留置針の軟性注射針（外筒）の構造に係る。
【背景技術】
【０００２】
現在、病院において患者が静脈注射もしくは点滴を受ける時、一般に軟性注射針（一般に軟性針、あるいは外筒と称する。）を用いる。該軟性注射針内には、通常更に硬性注射針（例として金属注射針、一般に硬性注射針と称する。）が嵌合されていて、使用時には先ず硬性注射針で十分な強度を提供し、それに拠ってスムーズに皮膚内に注射針が挿入され、続いて医療スタッフは該硬性注射針を引出し、該軟性注射針だけを人体内に留まらせる。
【０００３】
公知の軟性注射針は、人体内の時間が長くなるに従い、細菌が発生して感染及び炎症を起こすリスクが大幅に高まる。そのため、頻繁に新しい注射針を交換する必要があり、通常では3日に一回交換する。
【先行技術文献】
【特許文献】
【０００４】
【特許文献１】特開２０１７−４２２２６号公報
【考案の概要】
【考案が解決しようとする課題】
【０００５】
解決しようとする問題点として、点滴などにおける注射針を頻繁に交換することで、医療スタッフの負担が増えるだけでなく、長期入院の患者にとっても、改めて針を刺される苦しみを受けることになる点である。拠って、上述の欠点を改善することが望まれる。
【課題を解決するための手段】
【０００６】
本考案は、注射針嵌合台、軟性注射針及びパリレン層を含む。該注射針嵌合台は内部に納置空間を備え、一端には比較的小径の軟性注射針連接口を設置し、他端には比較的大径の硬性注射針連接口を設置する。該軟性注射針は該注射針嵌合台と相互に嵌合して結合する。該パリレン層は、真空無応力コーティング工程（熱分解ＣＶＤ工程）で該軟性注射針の表面に成形する。軟性注射針の表面を真空コーティング方式で該パリレン層を形成することに拠って、該軟性注射針の抗菌及び抗炎症効果を大幅に高めることを最も主要な特徴とする。
【考案の効果】
【０００７】
本考案の軟性注射針の構造は、該軟性注射針が人体内に留まる時間が大幅に延び、医療スタッフの負担が軽減される他に、患者にとって常に針を挿入される苦しみを和らげ、本考案の実用性を大幅に高めるという利点がある。
【図面の簡単な説明】
【０００８】
【図１】本考案の実施例の立体指示図である。
【図２】本考案の実施例の側面断面図である。
【図３】本考案の実施例で、硬質注射針と結合した動作指示図である。
【図４】本考案の実施例で、人体皮膚に対して注射した動作指示図である。
【考案を実施するための形態】
【０００９】
公知の軟性注射針の欠点を改善し、抗菌及び抗炎症効果を向上させる軟性注射針の構造を提供することを本考案の目的とする。
【００１０】
人体内に滞留する時間を延長できる軟性注射針の構造を提供することを本考案の別の目的とする。
【００１１】
以上の目的を達成するため、本考案は軟性注射針の構造を提供する。それは注射針嵌合台、軟性注射針及びパリレン層を含む。該注射針嵌合台の内部には納置空間を備え、該注射針嵌合台の一端は比較的小径の軟性注射針連接口を設置し、該注射針嵌合台の別一端は比較大径の硬性注射針連接口を設置する。該軟性注射針は、該注射針嵌合台と相互に嵌合して結合する。該パリレン層は、真空無応力コーティング工程で該軟性注射針の表面に成形する。
そのうち、該軟性注射針は細長の針部を備え、更に該針部一端の結合部に連接し、該結合部は該注射針嵌合台の内部に嵌合され、且つ該針部の少なくとも一部分は該注射針嵌合台の軟性注射針連接口の先端から外側に延長して突出し、また該結合部は碗状、コップ状もしくは漏斗状である。
【００１２】
そのうち、該パリレン層は、パリレンＣ、パリレンＤ、パリレンＮもしくはパリレンＡＦ４である。
【００１３】
軟性注射針の表面に真空コーティング方式で該パリレン層を成形することに拠って、該軟性注射針の抗菌及び抗炎症効果を大幅に高める。それによって、該軟性注射針が人体内に留まる時間を大幅に延ばし、医療スタッフの負担を軽減するだけでなく、患者にとって常に針を挿入される苦しみを和らげ、本考案の実用性を大幅に高める。
【実施例】
【００１４】
図１と図２は、それぞれ軟性注射針の構造の実施例の立体図及び側面断面図とし、該軟性注射針の構造は以下を含む。
【００１５】
注射針嵌合台1は、図２に示すとおり、内部に納置空間11を備え、注射の薬剤液が通過する。該注射針嵌合台1の一端には比較的小径の軟性注射針連接口1２を設置し、該注射針嵌合台1の他端には比較的大径の硬性注射針連接口1３を設置する。該注射針嵌合台1の細部構造は当領域の通常知識に属し、且つ本考案の考案点ではないため、ここでは説明しない。
【００１６】
軟性注射針２は、該注射針嵌合台1と相互に嵌入結合する。図２に示すとおり、該軟性注射針２は細長の針部２1を備え、更に該針部２1他端側の結合部２２に連接する。該結合部２２は、該注射針嵌合台1内部に嵌入結合し、且つ該針部２1の少なくとも一部は、該注射針嵌合台1の軟性注射針連接口1２の先端から突出して延長する。本実施例において、該結合部２２は碗状、コップ状もしくは漏斗状でもよいが、実際は上述の形状に制限されない。その他、該軟性注射針２の材質は、ゴム、シリコン樹脂、もしくはプラスチックとする。
【００１７】
パリレン層３は、真空無応力コーティング工程（一般に、真空無応力気相堆積工程）で該軟性注射針２の表面（包括外表面、内表面及側表面）に形成し、製作時、先ず固体のパリレンの二量体（dimer）を１５０℃で加熱気化（sublimation）し、次に６５０℃の高温で、前述の気体のパリレンの二量体を熱分解（pyrolysis）してパリレンの単量体（monomer）とする。最後に、常温の環境下で前述パリレンの単量体を該軟性注射針２の内表面、外表面及び側表面にそれぞれ堆積させて再度重合（polymerization）し、パリレンの薄膜を成形し、該軟性注射針２上に該パリレン層３を成形する。
【００１８】
良好な実施形態において、該パリレン層３はパリレンＡＦ４（Parylene AF４）を優先的に採用する。一般によく見かけるパリレンＣ（Parylene C）、パリレンＤ（Parylene D）もしくはパリレンＮ（Parylene N）と比較して、パリレンＡＦ４は更に良好な耐高温特性を備える。
【００１９】
特に注目することとして、パリレンが高温熱分解した時、ナノ化したしたパリレンの単量体を形成するため、気相として均一化し、且つ該軟性注射針２の内表面、外表面及側表面上に方向性なく均等に堆積する。
【００２０】
図３と図４に示すとおり、本考案を使用する時、操作者、例として医療スタッフは、先ず前端は硬性注射針４1の硬性注射針嵌合台４を備えて本考案の硬性注射針連接口1３と相互に結合し、硬性注射針４1を該軟性注射針２内部に通して該針部２1の先端から突出する。結合後、例として図４に示すとおり、該軟性注射針２は硬性注射針４1を通して人体的皮膚5内に差し込まれて入り、同時に操作者は該硬性注射針４1を引き出す。該軟性注射針２表面に該パリレン層３をコーティングすることによって、該軟性注射針２の抗菌及び抗炎症効果を大幅に向上させ、該軟性注射針２が人体内に留まる時間を延長し
、医療スタッフの負担を軽減する他に、患者が常に針を挿入されている苦しみを和らげ、本考案の実用性を大きく高める。
【符号の説明】
【００２１】
１        注射針嵌合台
１１        納置空間
１２        軟性注射針連接口
１３        硬性注射針連接口
２        軟性注射針
２１        針部
２２        結合部
３        パリレン層
４        硬性注射針嵌合台
４１        硬性注射針
５        皮膚
【図１】
0003212691.tif 000003
【図２】
0003212691.tif 000004
【図３】
0003212691.tif 000005
【図４】
0003212691.tif 000006
【手続補正書】
【提出日】平成29年7月31日(2017.7.31)
【手続補正１】
【補正対象書類名】実用新案登録請求の範囲
【補正対象項目名】請求項１
【補正方法】変更
【補正の内容】
【請求項１】
留置針の構造において、
内部に納置空間を備えてその一端には小径の軟性注射針連接口を設置し、他端には大径の硬性注射針連接口を設けた注射針嵌合台と、
該注射針嵌合台と相互に嵌合結合する軟性注射針と、
熱分解によるＣＶＤ工程で該軟性注射針の表面にパリレン層を形成したことを特徴とする軟性注射針の構造。